(57)【要約】  【課題】  所定の機能を容易に実行可能な機器、並びに機器の制御プログラム及び制御方法を提供する。  【解決手段】  本実施形態に係る携帯電話機１０は、複数の入力部２０と、加速度センサ３０と、制御部４０と、を含む。加速度センサ３０は、加速度を検出する。制御部５０は、加速度センサ３０が検出した加速度が所定の条件を満たしたと判断すると、複数の入力部２０に対して割り当てられているキー割り当てを変更する。キー割り当てが変更されると、例えば、入力部２０を操作した際に実行される機能が変更される。【選択図】  図１
2015106746.tif 000002
【特許請求の範囲】
【請求項１】
入力部と、
加速度を検出する加速度センサと、
前記加速度センサが検出した加速度が所定の条件を満たしたと判断すると、前記入力部に対して割り当てられているキー割り当てを変更する制御部と、を含む機器。
【請求項２】
前記制御部は、前記加速度センサが検出した加速度が所定の条件を満たしたと判断すると、前記入力部に対して１つの機能を割り当てる、請求項１に記載の機器。
【請求項３】
通信部をさらに含み、
前記制御部は、前記１つの機能として所定の外部機器に連絡する機能を割り当てる、請求項２に記載の機器。
【請求項４】
加速度センサを有する機器の制御プログラムであって、
前記加速度センサが検出した加速度が所定の条件を満たしたと判断すると、前記入力部に対して割り当てられているキー割り当てを変更する、機器の制御プログラム。
【請求項５】
加速度センサを有する機器の制御方法であって、
前記加速度センサが検出した加速度が所定の条件を満たしたと判断すると、前記入力部に対して割り当てられているキー割り当てを変更する、機器の制御方法。
【発明の詳細な説明】
【技術分野】
【０００１】
本発明は、機器、並びに機器の制御プログラム及び制御方法に関する。
【背景技術】
【０００２】
機器には、複数の入力部を備え、複数の入力部へ所定の手順で入力することで所望の機能を実行することができる。このような機器は、例えば、特許文献１に記載されている。一方で、所定の手順を経ずに、所望の機能を実行したいという要望がある。
【先行技術文献】
【特許文献】
【０００３】
【特許文献１】特開２００７−１５６９６７号公報
【発明の概要】
【発明が解決しようとする課題】
【０００４】
本発明は、所定の機能を容易に実行可能な機器、並びに機器の制御プログラム及び制御方法を提供することを目的とする。
【課題を解決するための手段】
【０００５】
本発明の実施形態に係る機器は、複数の入力部と、加速度を検出する加速度センサと、前記加速度センサが検出した加速度が所定の条件を満たしたと判断すると、複数の前記入力部に対して割り当てられているキー割り当てを変更する制御部と、を含む。
【０００６】
本発明の実施形態に係る機器の制御プログラムは、加速度センサを有する機器の制御プログラムであって、前記加速度センサが検出した加速度が所定の条件を満たしたと判断すると、複数の前記入力部に対して割り当てられているキー割り当てを変更する。
【０００７】
本発明の実施形態に係る機器の制御方法は、加速度センサを有する機器の制御方法であって、前記加速度センサが検出した加速度が所定の条件を満たしたと判断すると、複数の前記入力部に対して割り当てられているキー割り当てを変更する。
【発明の効果】
【０００８】
本発明によれば、所定の機能を容易に実行可能にすることができる。
【図面の簡単な説明】
【０００９】
【図１】本実施形態の携帯機器の外観を示す図である。
【図２】本実施形態の携帯機器の機能構成を示すブロック図である。
【発明を実施するための形態】
【００１０】
本出願に係る機器、並びに機器の制御プログラム及び制御方法を実施するための実施形態を、図面を参照しつつ詳細に説明する。以下の説明により、本出願に係る機器、並びに機器の制御プログラム及び制御方法が限定されるものではない。以下の説明における構成要素には、当業者が容易に想定できるもの、実質的に同一のもの、いわゆる均等の範囲のものが含まれる。以下においては、機器の一例として携帯電話機を取り上げるが、本発明の適用対象は携帯電話機に限定されるものではない。機器として、例えば、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機などを用いても本発明は適用できる。
【００１１】
図１は、携帯電話機１０の外観を示す図である。図２は、携帯電話機１０の機能構成を示すブロック図である。図１，２に示すように、携帯電話機１０は、マイク１１と、スピーカ１３と、ディスプレイ１５と、通信部１７と、記憶部１９と、入力部２０と、加速度センサ３０と、ＧＰＳ受信部４０と、制御部５０と、を有する。
【００１２】
マイク１１は、通話時の音声などの種々の音を音声信号に変換する。スピーカ１３は、通話時の音声信号、及び着信時の報知信号などを音に変換して出力する。
【００１３】
ディスプレイ１５は、制御部５０から供給される映像データに応じた映像および画像データに応じた画像を表示する。
【００１４】
通信部１７は、他の機器と通信を行う。通信部１７は、基地局を介して他の携帯電話機と通信を行うことができる。本実施形態の通信部１７は、第２の携帯電話機と通信を行うことができる。本実施形態の通信部１７は、第２の携帯電話機に対して、例えば、電子メールを送信したり、電話をしたりすることができる。
【００１５】
記憶部１９は、制御部５０での処理に利用される各種プログラム及び各種データを記憶する。本実施形態において、記憶部１９には、少なくとも、携帯電話機１０から送信された電子メールに基づいて実行する処理を決定し動作を制御するプログラム、ユーザの操作に基づいて通信を制御するプログラム及びＧＰＳ受信部４０を用いて位置の検出を実行するプログラムが記憶される。
【００１６】
入力部２０は、ユーザからの入力を受け付けるデバイス部である。入力部２０が入力を受け付けると、制御部５０は、入力部２０への操作に基づいて発生した信号を受け付ける。入力部２１は、複数の入力デバイスを含む。本実施形態の入力部２０は、入力キー２１と、スイッチ２２とを含む。この入力デバイスとしては、入力キー及びスイッチの他に、センサキー、タッチセンサ、およびタッチパッドなどの種々のものが採用可能である。
【００１７】
入力キー２１には、例えば、数字キー、方向キー、決定キー、発信キー等の機能が割り当てられている。これらの入力キー２１がユーザにより操作されると、制御部５０は、入力キー２１の操作に基づいて発生した信号を受け付ける。携帯電話機１０では、入力キー２１が複合的に操作されることで、複数の機能から任意の機能を実行する。
【００１８】
スイッチ２２には、例えば、非常事態を報知する機能が割り当てられている。このスイッチ２２がユーザにより操作されると、制御部５０は、スイッチ２２の操作に基づいて発生した信号を受け付ける。本実施形態のスイッチ２２は、携帯電話機１０の筐体の上側に配置されている。スイッチ２２は、ストラップ２３と接続されている。スイッチ２２は、ストラップ２３が引っ張られることによって移動し、ユーザからの入力を受け付ける。ストラップ２３は、ユーザによる入力を容易にする目的で採用される。
【００１９】
加速度センサ３０は、携帯電話機１０に働く加速度の方向及び大きさを検出し、検出結果を制御部５０に出力する。本実施形態では、加速度センサ３０として、Ｘ軸方向、Ｙ軸方向及びＺ軸方向の加速度を検出する３Ｇ（３次元）タイプを採用する。加速度センサ３０は、例えば、ピエゾ抵抗型、静電容量型により構成されるものとするが、これに限らない。例えば、加速度センサ３０は、圧電素子（圧電式）、熱検知型によるＭＥＭＳ（Micro Electro Mechanical Systems）式、可動コイルを動かしてフィードバック電流によってもとに戻すサーボ式、又は加速度によって生じる歪を歪ゲージによって測定する歪ゲージ式等により構成されてもよい。
【００２０】
ＧＰＳ受信部４０は、ＧＰＳ衛星から出力されるＧＰＳ信号を受信するデバイス部である。ＧＰＳ受信部４０が受信したＧＰＳ信号を制御部５０に入力する。制御部５０に入力されたＧＰＳ信号は、携帯電話機１０の緯度経度の算出に用いられる。ＧＰＳ信号に基づく緯度経度の算出は、制御部５０内での処理に限られるものではなく、通信部１７を介して外部装置で処理を行ったりしてもよい。
【００２１】
制御部５０は、記憶部１９に記憶されている各種プログラムに基づいて処理を実行する。制御部５０は、例えば、マイクロプロセッサユニットで構成され、記憶部１９に記憶されるプログラムから命令コードを順次読み込んで、読み込んだ命令コードで指示された手順に従って携帯電話機１０の各種の処理を実行する。制御部５０は、例えば、マイク１１を介して入力された音声信号、スピーカ１３から出力される音声信号および報知信号の処理を実行する。
【００２２】
制御部５０は、入力部２０に対する入力に基づく信号を受け付けたときに行う機能を決定している。ここでいう機能には、電話および電子メールを含む通信機能、並びに携帯電話機１０の動作モードを変更する制御機能が含まれる。言い換えると、制御部５０は、入力部２０に対して機能を割り当てているといえる。
【００２３】
本実施形態の制御部５０は、例えば、スイッチ２２が操作されると、非常事態を報知する機能が実行される。非常事態を報知する機能が実行されると、スピーカ１３にブザー音を出力させたり、防犯機能が作動したことを他の携帯電話機に報知したりする。他の携帯電話機への報知は、電話をしたり、電子メールを送信したりすることで実行される。電子メールを送信する場合、制御部５０は、携帯電話機１０の緯度経度情報を一緒に送信してもよい。
【００２４】
このような非常事態を報知する機能は、ユーザに危機が迫っているときなどの実際に危害が及ぶ前に防衛的または予防的に利用される場合がある。一方で、非常事態を報知する機能は、ユーザに対して実際に危害が及んだ後に利用される場合がある。ユーザに危害が及んだ場合、危害の内容によっては、スイッチ２２が破損するなどして、非常事態を報知する機能が利用できなくなる恐れがある。
【００２５】
本実施形態の制御部５０は、加速度センサ３０が出力した加速信号に基づいて、強い衝撃を受けたと判断した場合、入力部２０に対して割り当てていたキー割り当てを変更する。言い換えると、制御部５０は、加速度センサ３０が検出した加速度が所定の条件を満たしたと判断すると、入力部２０のキー割り当てを第１の割り当てから第２の割り当てに変更する。この所定の条件は、日常的な生活において想定できない大きさの入力、携帯電話機１０が故障する可能性のある大きさの入力などの観点で設定される。この第２の割り当てでは、スイッチ２２に割り当てられていた非常事態を報知する機能が、入力キー２１にも割り当てられる。入力キー２１は、スイッチ２２で入力を受け付けるための引っ張る操作とは異なる押下する操作によって入力を受け付けるので、危害が及んだユーザによる機能の実行を容易にすることができる。
【００２６】
この非常事態を報知する機能の入力キー２１への割り当ては、全ての入力キー２１であっても、複数の入力キー２１であっても、１つの入力キー２１であってもよい。少なくとも１つの入力キー２１に非常事態を報知する機能が割り当てられていない場合は、割り当てられていない入力キー２１に、第２の割り当てから第１の割り当てに変更する機能を割り当てることができる。
【００２７】
制御部５０は、入力部２０のうちの他の部位に非常事態を報知する機能を割り当てる場合、当該部位が入力を受け付ける態様に応じて機能の作動条件を変更してもよい。例えば、入力キー２１のように押下する操作を受け付ける態様の場合、通常の押下時間よりも長く押下することを作動条件としてもよいし、複数の入力キー２１を押下することを作動条件としてもよい。
【００２８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００２９】
１０  携帯電話機
１７  通信部
２０  入力部
２１  入力キー
２２  スイッチ
３０  加速度センサ
５０  制御部
【図１】
2015106746.tif 000003
【図２】
2015106746.tif 000004